(57)【要約】【課題】    ADFを有する画像形成装置において、設定シートを読み込ませて、その内容を画像形成装置に反映する場合は、設定シートを原稿と一緒に読み込ませていた。しかしながら、上記のような設定を行う際には、常に設定シートを原稿束と同じく読み込ませる必要があり、例えば同じ設定シートを繰り返し使う場合に劣化が発生する、または設定シートをクリアファイル等に入れていた場合には手間がかかって使い勝手が悪い、という問題を生じていた。【解決手段】  設定シートをプラテンガラス１０から読み込み、原稿束を読み取り装置３から読み込むことによって設定シートの劣化を防ぎ、使い勝手の良い画像形成装置を提供する。【選択図】  図２
2007328084.tif 000002
【特許請求の範囲】
【請求項１】
プラテンガラス面上に第一の原稿が載置された事を検知する第一の検知部と、
原稿を連続して読み取る読み取り装置に第二の原稿が載置された事を検知する第二の検知部と、
前記第一の検知部および前記第二の検知部の情報に基づいて、前記第一の原稿を読み取るか、又は前記第二の原稿を読み取るかを決定する決定部と、
前記決定部の決定に従って前記第一の原稿を読み込んだ際に、前記第一の原稿が設定シートか否かを判断する判断部と、
前記判断部によって前記第一の原稿が前記設定シートであると判断されたときには、前記設定シートの情報に従ってシステム設定を変更する制御部と、
を有する画像形成装置。
【請求項２】
前記決定部は、プラテンガラス面上に前期第一の原稿が載置されているときは前記第一の原稿を読み取り、読み取り装置に前記第二の原稿が載置されているときは前記第二の原稿を読み取り、前記第一の原稿がプラテンガラス面上に置かれ、且つ前記第二の原稿が読み取り装置に載置されているときは前記第一の原稿と前記第二の原稿とを読み取る機能を有することを特徴とする請求項１に記載の画像形成装置。
【請求項３】
前記読み取り装置は、前記プラテンガラス上に前記第一の原稿が載置されていても、前記第二の原稿を読み取る機能を有することを特徴とする請求項１および請求項２に記載の画像形成装置。
【請求項４】
前記システム設定の指示および表示可能な操作部をさらに有し、前記制御部は前記操作部からの入力に基づいてシステム設定を行うことを特徴とする請求項１乃至請求項３のいずれか１に記載の画像形成装置。
【請求項５】
前記操作部は、前記設定シートから読み取られたシステム設定と、前記操作部によって指示されたシステム設定との間に優先順位を付ける機能を有することを特徴とする請求項４に記載の画像形成装置。
【請求項６】
プラテンガラス面上に第一の原稿が載置された事を検知する第一の検知部と、原稿を連続して読み取る読み取り装置に第二の原稿が載置された事を検知する第二の検知部と、を有する画像形成装置の制御方法であって、
前記第一の原稿が載置された事を検知する第一の工程と、
前記第二の原稿が載置された事を検知する第二の工程と、
前記第一の工程および前記第二の工程の結果に基づいて、前記第一の原稿を読み取るか、又は前記第二の原稿を読み取るかを決定する第三の工程と、
前記第一の原稿を読み込んだ際に、前記第一の原稿が設定シートか否かを判断する第四の工程と、
前記第一の原稿が前記設定シートであると判断されたときには、前記設定シートの情報に従ってシステム設定を変更する第五の工程と、
を有する画像形成装置の制御方法。
【請求項７】
前記第三の工程は、プラテンガラス面上に前期第一の原稿が載置されているときは前記第一の原稿を読み取り、読み取り装置に前記第二の原稿が載置されているときは前記第二の原稿を読み取り、前記第一の原稿がプラテンガラス面上に置かれ、且つ前記第二の原稿が読み取り装置に載置されているときは前記第一の原稿と前記第二の原稿とを読み取る工程であることを特徴とする請求項６に記載の画像形成装置の制御方法。
【発明の詳細な説明】
【技術分野】
【０００１】
本発明は自動紙送り装置を持つ画像形成装置および画像形成装置の制御方法に関する
【背景技術】
【０００２】
画像形成装置の設定を記述した設定シートを読み込ませることによって、画像形成装置の設定を本体に取り込む技術が開発されている。（特許文献１参照）
これは、原稿の1枚目に決められたフォーマットで書き込まれた設定シートを入れておき、画像形成装置が原稿を1枚読みこんで、設定シートであると判断したときには、画像形成装置の設定が、設定シートに記載されているように変更され、続く原稿束の処理を行う、という技術である。
【０００３】
しかしながら、上記のような設定を行う際には、常に設定シートを原稿束と同じく読み込ませる必要があり、例えば同じ設定シートを繰り返し使う場合に劣化が発生したり、設定シートをクリアファイル等に入れていた場合には手間がかかって使い勝手が悪い、という問題を生じていた。
【特許文献１】特開２００１−２８２０５５
【発明の開示】
【発明が解決しようとする課題】
【０００４】
本発明は上記問題を解決するために為されたものであり、設定シートをプラテンから読み込み、原稿束を読み取り装置から読み込むことによって設定シートの劣化を防ぎ、使い勝手の良い画像形成装置および画像形成装置の制御方法を提供することを目的とする。
【課題を解決するための手段】
【０００５】
本発明は上記目的を達成するために為されたものであり、プラテンガラス面上に第一の原稿が載置された事を検知する第一の検知部と、原稿を連続して読み取る読み取り装置に第二の原稿が載置された事を検知する第二の検知部と、前記第一の検知部および前記第二の検知部の情報に基づいて、前記第一の原稿を読み取るか、又は前記第二の原稿を読み取るかを決定する決定部と、前記決定部の決定に従って前記第一の原稿を読み込んだ際に、前記第一の原稿が設定シートか否かを判断する判断部と、前記判断部によって前記第一の原稿が前記設定シートであると判断されたときには、前記設定シートの情報に従ってシステム設定を変更する制御部と、を有する事を特徴とする。
【発明の効果】
【０００６】
本発明によれば、設定シートの劣化を防ぎ、使い勝手の良い画像形成装置を提供することが可能となる。
【発明を実施するための最良の形態】
【０００７】
以下に本発明の実施例について図を参照しながら説明する。
【実施例１】
【０００８】
本発明の実施例１を図面１乃至５を用いて説明する。
図1に本発明の実施例１に係る画像形成装置の外観図を示す。図２に本発明の実施例１に係る第一の検知部の説明図、図３に本発明の実施例1に係る第二の検知部の説明図を示す。
【０００９】
図１において、１は画像形成装置、３は読み取り装置、５は操作部、１０はプラテンガラスを示している。また、図２において、２は第一の検知部、４は第二の検知部、
画像形成装置１のプラテンガラス１０上に第一の原稿が置かれたことを検知する第一の検知部２と、読み取り装置３に第二の原稿が置かれたことを検知する第二の検知部４によって、原稿の有無が監視されている。また、画像形成装置１は各種操作、設定を行うことが可能な操作部５を持ち、画像形成装置１の各種動作の設定はこの操作部５にて行われる。
【００１０】
図２に示すように、第一の検知部２は複数の自動原稿検知センサ３１から成っている。３１aは自動原稿検知センサａ、３１ｂは自動原稿検知センサｂ、３１ｃは自動原稿検知センサｃ、３１ｄは自動原稿検知センサｄ、３１ｅは自動原稿検知センサｅ、３１ｆはホームポジションセンサ、３６はＳＬＧ基板、３８はスキャンモータ、３９は露光ランプ、４０はランプインバータ基板を示す。
【００１１】
原稿をプラテンガラス１０に置いて、読み取りを行う際には、ランプインバータ基板４０によって制御される露光ランプ３９をスキャンモータ３８にて駆動しながら原稿を露光する。この際に、原稿を露光した露光ランプ３９からの光がＣＣＤにて入力され、光電変換されて画像データとして画像形成装置１に取り込まれる。
【００１２】
このプラテンガラス１０に原稿を置いた際には、自動原稿検知センサ３１によって原稿の有無や原稿の大きさを検知することが可能である。
また、図３に示すように、第二の検知部４も同様に複数のセンサから成っている。５３は原稿トレイセンサ、５４は原稿トレイ幅センサ、５５は原稿レジストセンサ、５６は原稿幅検知センサである。原稿を読取装置３に置いた際に、これらの原稿幅検知センサ５６の上に原稿が有るか無いかを検知することにより、読取装置３上の原稿の有無や原稿の大きさを検知することが可能である。
【００１３】
図４に本発明の実施例１に係る画像形成装置の制御概念図を示す。
６は制御部、１１は決定部、１２は判断部、を示している。第一の検知部２によってプラテンガラス１０上の原稿の有無が検知され、一方、第二の検知部４によって読取装置３上の原稿の有無が検知される。そして、これらの情報は決定部１１へと送られる。
【００１４】
決定部１１では、上記情報に基づき、第一の原稿と第二の原稿のいずれか、または両方を読み取るか否かを決定する。そして、その結果読み込まれた原稿について、その原稿が画像形成装置１の設定シートであるか否かを判断部１２にて判断し、制御部６にて画像形成装置１の設定を設定シートに記されたシステム設定に変更する。
【００１５】
図５に本発明の実施例１に係る画像形成装置の動作フローチャートを示す。
まず、利用者が第一の原稿をプラテンガラス１０に置くと、第一の検知部２がプラテンガラス１０上に第一の原稿が有ることを検知し（Ｓ０１）、利用者が原稿を読み取り装置３に置くと、第二の検知部４が読み取り装置３上に第二の原稿が有ることを検知する（Ｓ０２）。
利用者がSTARTボタンを押すと（Ｓ０３）、決定部１１はプラテンガラス１０と読み取り装置３に原稿があるという情報を受けてどちらの原稿を読み込むかを決定している。本実施例においてはプラテンガラス１０と読取装置３の双方に原稿が有るという情報を受けて、プラテンガラス１０上の第一の原稿を読み取る（Ｓ０４）。
【００１６】
続いて、判断部１２では、この第一の原稿が設定シートか否かを判断する。（Ｓ０５）
この判断は、例えば第一の原稿を読み取った画像を、特定のバーコードや、一定のフォーマットによって記載されているか、等を読み取った画像と比較するといった既知の方法を用いている。
【００１７】
ここでＳ０５にて設定シートと判断された場合（Ｓ０５にてＹ）には、その設定シートに記載の内容を画像形成装置１に反映する（Ｓ０６）。そして読取装置３に原稿があることを確認し（Ｓ０７）、原稿があれば（Ｓ０７にてＹ）、Ｓ０６にて反映された設定内容で読取装置３の原稿について画像形成動作を行い（Ｓ０８）、終了する。Ｓ０７にて原稿がなければ（Ｓ０７にてＮ）、終了する。
【００１８】
また、Ｓ０５にて、第一の原稿が設定シートでは無いと判断された場合（Ｓ０５にてＮ）には、そのまま読取り装置３の原稿の画像形成動作を行い（Ｓ０８）終了する。
【実施例２】
【００１９】
続いて図６を用いて第二の実施例について説明する。尚、実施例１と同一部分については説明を省略し、本実施例に特徴的な部分のみを説明する。また、同一の構成物については同一の符号を用いることとし、これ以降の実施例についても同様とする。
【００２０】
図６に本発明の実施例２に係る画像形成装置の動作フローチャートを示す。Ｓ０１からＳ０５までは実施例１と同様のフローとなっている。Ｓ０５にて第一の原稿設定シートと
判断されると（Ｓ０５にてＹ）、設定シート反映可能かどうかが判断される（Ｓ１００）。これは、Ｓ０５にて、読み込まれた原稿が設定シートであることが判断された場合であっても、設定シートの破損や汚損、あるいは記載不備等で設定シートの内容を画像形成装置１に反映することができない場合がある為である。
【００２１】
ここで設定シート反映可能と判断されると（Ｓ１００でＹ）、その設定を画像形成装置１に反映する（Ｓ１０２）。そして読取装置３に原稿があることを確認し（Ｓ１０４）、原稿があれば（Ｓ１０４にてＹ）、Ｓ１０２にて反映された設定内容で読取装置３の原稿について画像形成動作を行い（Ｓ１０６）、終了する。Ｓ１０４にて原稿がなければ（Ｓ１０４にてＮ）、終了する。
【００２２】
Ｓ０５にて第一の原稿が設定シートでは無いと判断された場合（Ｓ０５にてＮ）、もしくはＳ１００にて設定シートが反映可能でないと判断された場合（Ｓ１００にてＮ）、画像形成装置１から警報が発せられる（Ｓ１０８）。この警報は、画像形成装置１の操作部５上に表示されても良いし、画像形成装置１にネットワークで接続されたコンピュータに表示されても良い。
【００２３】
この警報が発せられた際、利用者は画像形成動作を終了するか否かを判断する（Ｓ１１０）。利用者が画像形成動作を終了すると（Ｓ１１０にてＹ）そのまま終了し、利用者が画像形成動作を終了しないと（Ｓ１１０にてＮ）、画像形成装置１の設定を変更せずに読み取り装置３上の第二の原稿について画像形成動作を行い（Ｓ１０６）、その後終了する。
【００２４】
また、第一の原稿が、設定シートであることを認識したものの途中から汚れていた場合や、読み取りが出来なくなったような場合には、利用者に対しその旨の報知を操作部５によって行い、読み取り動作を中止しても良いし、途中読み込めたところまでの設定を画像形成装置１に反映しても良い。
【実施例３】
【００２５】
続いて図７を用いて第三の実施例について説明する。
図７に本発明の実施例３に係る画像形成装置の動作フローチャートを示す。Ｓ０１、Ｓ０２は実施例１と同様のフローとなっている。第一の原稿の検知、第二の原稿の検知が行われると、操作部５によって画像形成装置１の設定が入力されているかを判断する（Ｓ２００）。
【００２６】
Ｓ２００による判断とは、例えば画像形成装置１の初期状態と異なる設定を操作部５によって指定されているかどうかの判断となる。
ここで、操作部５による設定が入力されていなかった場合、（Ｓ２００にてＮ）には、第一の原稿を読み取る（Ｓ２０２）。Ｓ２０２以降Ｓ２１４までのステップについては実施例２と同様なため説明を省略する。
【００２７】
操作部５によって画像形成装置１の設定が入力されている場合には（Ｓ２００にてＹ）、
利用者は優先設定を行う（Ｓ２２０）。これは、現在操作部５にて設定されている画像形成装置１の設定を優先的に行うか、設定シートによる画像形成装置１の設定を優先的に行うかの設定である。優先順位の付け方については、例えば操作部５に表示して利用者に確認を促すようにしても良いし、操作部５にてどちらを優先させるかを予め指定しておいても良い。
【００２８】
ここで、操作部５による設定を優先としたとき（Ｓ２２２にてＹ）、この操作部５による設定を画像形成装置１に反映し（Ｓ２２４）、続いてＳ２０８へと進む。
操作部５による設定を優先としないとき（Ｓ２２２にてＮ）、プラテンガラス１０上の第一の原稿を読み取る（Ｓ２０２）。ここでこの第一の原稿が設定シートであり（Ｓ２０４にてＹ）、設定シート反映可能であれば（Ｓ２０６にてＹ）、その設定を画像形成装置１に反映する（Ｓ２０７）。
【図面の簡単な説明】
【００２９】
【図１】本発明の実施例１に係る画像形成装置の外観図。
【図２】本発明の実施例１に係る第一の検知部の説明図。
【図３】本発明の実施例1に係る第二の検知部の説明図。
【図４】本発明の実施例１に係る画像形成装置の制御概念図。
【図５】本発明の実施例１に係る画像形成装置の動作フローチャート。
【図６】本発明の実施例２に係る画像形成装置の動作フローチャート
【図７】本発明の実施例３に係る画像形成装置の動作フローチャート
【符号の説明】
【００３０】
１：画像形成装置
２：第一の検知部
３：ADF
４：第二の検知部
５：操作部
６：制御部
１０：プラテンガラス
１１：決定部
１２：判断部
３１：自動原稿検知センサ
３６：ＳＬＧ基板
３７：ＳＬＧ基板冷却ファン
３８：スキャンモータ
３９：露光ランプ
４０：ランプインバータ基板
５３：原稿トレイセンサ
５４：原稿トレイ幅センサ
５５：原稿レジストセンサ
５６：原稿幅検知センサ
【図１】
2007328084.tif 000003
【図２】
2007328084.tif 000004
【図３】
2007328084.tif 000005
【図４】
2007328084.tif 000006
【図５】
2007328084.tif 000007
【図６】
2007328084.tif 000008
【図７】
2007328084.tif 000009